【手続補正書】
【提出日】平成25年2月13日(2013.2.13)
【手続補正１】
【補正対象書類名】特許請求の範囲
【補正対象項目名】全文
【補正方法】変更
【補正の内容】
【特許請求の範囲】
【請求項１】
複数の端子(2,502)を有する被測定デバイス(1)間の複数の一時的な機械的・電気的接続を形成する装置であって、
被測定デバイス(1,501)に向かって延設されると共に、移動可能な複数の導電性押込接点(72,552)であって、該複数の押込接点(72,552)のそれぞれが一の端子(2,502)と対応するよう横方向に配置されている押込接点(72,552)と、
複数の導電性検知接点(74,554)であって、該複数の検知接点(74,554)のそれぞれが一の押込接点(72,552)及び一の端子(2,502)に対応するよう横方向に配置されており、該複数の検知接点(74,554)のそれぞれが被測定デバイス(1,501)に向かってその対応する押込接点(72,552)近傍に延設されている複数の導電性検知接点(74,554)と、
を備え、
前記複数の検知接点(74,554)の各々が、前記被測定デバイス(1,501)に向かって弾力的に延設される自在可動部(76,554)を有しており、
前記検知接点は、前記対応する押込接点(72,552)から横方向に離間しており、
前記自在部は、その遠端部に、前記対応する押込接点(72,552)の遠端部の両側部で延設される分岐部(78,554a,b,c,d)を有してなることを特徴とする装置。
【請求項２】
請求項１に記載の装置であって、
前記被測定デバイス(1,501)が下方へ押し込まれると、前記被測定デバイス(1,501)の前記対応する端子(2,502)が同時に前記押込接点(72,552)を押圧し、前記検知接点(74,554)の前記自在部を押圧することを特徴とする装置。
【請求項３】
請求項１又は２に記載の装置であって、
前記複数の検知接点(74,554)の各々が、略平面状であり、それぞれの分岐部(78,554abcd)は２つの平行な枝部分を有しており、それぞれの枝部分は、前記検知接点(74)の面から延設される前記対応する押込接点(72)に直接隣接しているリップを有していることを特徴とする装置。
【請求項４】
請求項１〜３のいずれか一に記載の装置であって、
前記リップは、前記枝部分の長方形部分をその面から外側に被測定デバイス(1,501)に向かって曲げることによって形成されていることを特徴とする装置。
【請求項５】
請求項１〜４のいずれか一に記載の装置であって、
前記分岐部分(78,554)は、その遠端部に、互いに向かって部分的に先細りになって横方向に延設される先端部を有していることを特徴とする装置。
【請求項６】
請求項１〜５のいずれか一に記載の装置であって、
前記検知接点は、１ペアの枝部(554ab)を有する遠端分岐端部を有していることを特徴とする装置。
【請求項７】
請求項６に記載の装置であって、
前記枝部は下方に角度付けられてなることを特徴とする装置。
【請求項８】
請求項１〜７のいずれか一に記載の装置であって、
前記押込接点(552)は先端部を有しており、該先端部が凹部(552a)を有していることを特徴とする装置。
【請求項９】
請求項１〜８のいずれか一に記載の装置であって、
前記押込接点(552)は、前記検知接点(554)と同じ直線方向に配置されており、前記端子が前記検知接点を下方へ移動させるとき、前記検知接点が前記押込接点に当たらないように、前記押込接点が形成されていることを特徴とする装置。
【請求項１０】
請求項１〜９のいずれか一に記載の装置であって、
前記押込接点(552)は、その基部より先端部の方が薄く、該先端部は、少なくとも２つ側部で前記先端部を取り囲む１ペアの枝部(554a-b)の間を通っていることを特徴とする装置。
【請求項１１】
被測定デバイスと複数の試験接点を有する試験用治具との間の一時的接触を行うときに、接触抵抗を最小限にする方法で、各試験用治具が前記試験接点を受け止める押込・検知治具接点を有している方法であって、
ａ．前記検知・押込接点を、同じ直線方向に並べて配置するステップと、
ｂ．前記押込接点の上方の面内であるものの前記押込接点に対して横方向に、前記検知接点を弾性的に配置するステップと、
ｃ．前記試験接点を、前記検知接点と物理的に接触させるステップと、
ｄ．前記試験接点によって前記検知接点を移動させることで、該移動時に前記検知接点が前記試験接点を拭うステップと、
を備えてなることを特徴とする方法。
【請求項１２】
請求項１１に記載の方法であって、さらに、
前記押込接点が試験接点と当たったとき、前記押込接点を衝突に対して揺動するよう構成することで、前記押込接点を移動可能としたステップを備えることを特徴とする方法。
【請求項１３】
請求項１〜１２のいずれか一に記載の装置であって、
前記被測定デバイス(1)が前記ハウジング(81)に向かって押し込まれると、同時に前記複数の端子(2)のそれぞれが前記ハウジング(81)における対応する孔(83)を通じて対応する押込接点(82)を押圧すると共に、前記ハウジング(81)に沿って対応する前記検知接点(84)上を横方向に摺動することを特徴とする装置。
【請求項１４】
複数の端子(2,3)を有する被測定デバイス(1)と、複数の接触パッド(4)を有する装填ボード(3)と、の間の複数の一時的な機械的・電気的接続を形成する装置であり、接触パッド(4)のそれぞれが正確に一のターミナル(2)と対応するよう横方向に配置されてなる装置であって、
装填ボード(3)の前記接触パッド(4)と縦方向に隣接している横方向に配置された絶縁性ハウジング(101)と、
縦方向孔(103)を通じて前記被測定デバイス(1)に向かって延設されると共に、前記ハウジング(101)における前記孔(103)を通じて移動可能な複数の導電性押込接点(102)であって、該複数押込接点(102)のそれぞれが正確に一のターミナル(2)と対応するよう、横方向に配置されている複数の導電性押込接点(102)と、
複数の導電性検知接点(104)であって、該複数の検知接点(104)のそれぞれが正確に一の押込接点(102)及び正確に一の端子(2)に対応するよう、横方向に配置されている複数の導電性検知接点(104)と、
を備え、
前記複数の検知接点(104)の各々が、前記ハウジング(101)に沿って略横方向に延設される１ペアの導電性ロッド(105)を有しており、
前記１ペアの導電性ロッド(105)は、前記絶縁性ハウジング(101)における対応する溝内に嵌合し、
前記１ペアの導電性ロッド(105)の各々が、前記被測定デバイス(1)に向かって前記ハウジング(101)の面から曲げられた遠端部を有し、
各ペアのロッドにおける２つの遠端部(105)は、対応する押込接点(102)に直接隣接しており、かつ対応する押込接点(102)の両側部に配置されてなることを特徴とする装置。
【請求項１５】
請求項１〜１４のいずれか一に記載の装置であって、
前記被測定デバイス(1)が前記ハウジング(101)に向かって押し込まれると、同時に前記被測定デバイス(1)の対応する端子(2)が、前記ハウジング(101)における対応する孔(103)を通じて前記押込接点(102)を押圧すると共に、対応する検知接点(104)の少なくとも一方の伝導性ロッド(105)の遠端部と接触するよう構成してなることを特徴とする装置。